(57)【特許請求の範囲】
【請求項１】
原稿載置台に置かれた原稿を読み取る第１の読み取りモードと原稿送り手段により送られた原稿を読み取る第２の読み取りモードとにより原稿を読み取る読み取り手段と、
前記読み取り手段が読み取った原稿データを記憶する記憶手段と、
前記原稿送り手段で発生した異常を検知する検知手段と、
前記原稿データに基づいて画像を形成する画像形成手段とを有する画像形成装置において、
前記読み取り手段が前記第２の読み取りモードで原稿を読み取っている際に、前記検知手段が前記原稿送り手段で発生した異常を検知すると、前記画像形成手段は、前記記憶手段への記憶が完了した最後の原稿データのみに基づいた画像を形成し、かつ、前記読み取り手段に前記第１の読み取りモードで原稿の読み取りを継続させることを特徴とする画像形成装置。
【請求項２】
請求項１記載の画像形成装置において、
さらに、遡る原稿枚数を指示する指示手段を有し、該指示手段が遡る原稿枚数を指示することを特徴とする画像形成装置。
【請求項３】
原稿載置台に置かれた原稿を読み取る第１の読み取りモードと原稿送り手段により送られた原稿を読み取る第２の読み取りモードとにより原稿を読み取る読み取り手段と、
前記読み取り手段が読み取った原稿データを記憶する記憶手段と、
前記原稿送り手段で発生した異常を検知する検知手段と、
前記原稿データに基づいて画像を形成する画像形成手段とを有する画像形成装置における原稿読み取り制御方法において、
前記読み取り手段が前記第２の読み取りモードで原稿を読み取っている際に、前記検知手段が前記原稿送り手段で発生した異常を検知すると、前記画像形成手段は、前記記憶手段への記憶が完了した最後の原稿データのみに基づいた画像を形成し、かつ、前記読み取り手段に前記第１の読み取りモードで原稿の読み取りを継続させることを特徴とする原稿読み取り制御方法。
【発明の詳細な説明】
【０００１】
【発明の属する技術分野】
本発明は、画像形成装置及び原稿読み取り制御方法、より詳細には、原稿送り装置（ＤＦ）による原稿読み取り途中で、ＤＦに異常が発生した場合のリカバリー処理が可能な画像形成装置及び原稿読み取り制御方法に関する。
【０００２】
【従来の技術】
従来技術において、原稿送り装置（ＤＦ）による原稿読み取り途中で、ＤＦに異常が発生した場合のリカバリー処理が可能な画像形成装置として、例えば、特開平７−１３４５２０号公報に開示されたものがある。この公報の「画像形成装置」は、紙づまりが発生してコピー動作が中断された場合、ＣＰＵが、バッファＲＡＭに格納されている最も古い画像データと、tempＲＡＭに格納されている原稿トレイに戻された原稿の画像データとを比較することにより、どの原稿までコピー動作が完了しているかを判別し、使用されているモードに応じてコピー動作を再開する原稿を決定するというもので、ＲＡＤＦ（Recirculating Automatic Document Feeder）側および複写機本体側のどちらで紙づまりが発生した場合でも、また、画面モード実行中においても、確実に所望のコピーを得ることが可能になり、コピーを取り直す手間等を省くことができるというものである。
【０００３】
【発明が解決しようとする課題】
しかしながら、上記特開平７−１３４５２０号公報のものは、原稿送り装置（ＤＦ）による再読み取りが可能な場合のリカバリー処理に関するもので、ＤＦにおいて原稿送りが不能となる致命的な異常が発生した場合には対応できなかった。
【０００４】
本発明は、上述のような実情を考慮してなされたもので、原稿送り装置（ＤＦ）による原稿読み取り途中でＤＦに異常が発生した際に、読み取りが行えなかった原稿以降の原稿を、原稿載置台（圧板）において継続して読み取りすることが可能な画像形成装置及び原稿読み取り制御方法を提供することを目的としてなされたものである。
【０００５】
【課題を解決するための手段】
請求項１の発明は、原稿載置台に置かれた原稿を読み取る第１の読み取りモードと原稿送り手段により送られた原稿を読み取る第２の読み取りモードとにより原稿を読み取る読み取り手段と、前記読み取り手段が読み取った原稿データを記憶する記憶手段と、前記原稿送り手段で発生した異常を検知する検知手段と、前記原稿データに基づいて画像を形成する画像形成手段とを有する画像形成装置において、前記読み取り手段が前記第２の読み取りモードで原稿を読み取っている際に、前記検知手段が前記原稿送り手段で発生した異常を検知すると、前記画像形成手段は、前記記憶手段への記憶が完了した最後の原稿データのみに基づいた画像を形成し、かつ、前記読み取り手段に前記第１の読み取りモードで原稿の読み取りを継続させることを特徴とする。
【０００６】
請求項２の発明は、請求項１の発明において、さらに、遡る原稿枚数を指示する指示手段を有し、該指示手段が遡る原稿枚数を指示することを特徴とする。
【０００７】
請求項３の発明は、原稿載置台に置かれた原稿を読み取る第１の読み取りモードと原稿送り手段により送られた原稿を読み取る第２の読み取りモードとにより原稿を読み取る読み取り手段と、前記読み取り手段が読み取った原稿データを記憶する記憶手段と、前記原稿送り手段で発生した異常を検知する検知手段と、前記原稿データに基づいて画像を形成する画像形成手段とを有する画像形成装置における原稿読み取り制御方法において、前記読み取り手段が前記第２の読み取りモードで原稿を読み取っている際に、前記検知手段が前記原稿送り手段で発生した異常を検知すると、前記画像形成手段は、前記記憶手段への記憶が完了した最後の原稿データのみに基づいた画像を形成し、かつ、前記読み取り手段に前記第１の読み取りモードで原稿の読み取りを継続させることを特徴とする。
【０００８】
【発明の実施の形態】
（システム概要）
図１は、本発明が適用される画像形成装置の一例を説明するための斜視図で、図中、１は原稿送り装置（ＤＦ）、２は圧板（原稿載置台）、３は操作部、４はＬＣＤ、５はスタートキーである。
図２は、本発明が適用される画像形成装置のソフト上のシステムの一例を説明するための要部構成図で、図中、１１はアプリ層、１２はシステム管理部、１３はスキャナ部、１４は画像メモリ、１５は操作部、１６はプロッタ部、１７はＦＤである。
【０００９】
ＤＦ１では、積載された原稿を読み取りに同期させて搬送する。圧板２では、ユーザーが原稿を一枚毎セットして読み取りが行われる。操作部３には、ＬＣＤ４が設けられており、ＬＣＤ４はユーザーへのメッセージの表示の他に、タッチパネルの機能も兼ね、確認キー等のＬＣＤ４に表示されたキー押下の検知もできる。読み取り動作は、ユーザーのスタートキー５の押下によって開始される。
【００１０】
（請求項１）
図３は、本発明による画像形成装置の動作の一実施例を説明するためのフローチャートである。
図４は、図３に示した実施例に対するＬＣＤ表示の一実施例を示した図である。
読み取り動作中に、ＤＦの動作及び復帰が不能な異常が発生した場合に、読み取り動作あるいは同時に印刷が行われる場合は、印刷動作が正常に完了していない原稿の戻し枚数を算出し（Ｓ１）、ＤＦ異常発生の警告と併せて、戻し枚数遡った原稿から圧板で読み取り継続を指示する確認キー付きの表示をＬＣＤ４に行い（Ｓ２，１−１）、ユーザーによる確認キー押下を待つ（Ｓ３）。確認キーが押下されると（Ｓ３のＹＥＳ）、警告画面を解除して、一行警告部分に戻して原稿枚数を表示し（Ｓ４，１−２）、ユーザーのスタートキーの押下を待つ（Ｓ５）。スタートキーが押下されると（Ｓ５のＹＥＳ）システムは動作中（Ｓ６，１−３）となり、動作終了により、次のジョブをユーザーから受け付けるための通常画面へ移行する（１−４）。
【００１１】
（請求項２）
図５は、本発明による画像形成装置の動作の他の実施例を説明するためのフローチャートである。
図６は、図５に示した実施例に対するＬＣＤ表示の一実施例を示した図である。
ＤＦ異常を検知した場合、戻し枚数と圧板読み取りの指示を行う前に、読み取り動作を継続するか否かをユーザーに問い合わせるメッセージ及びキーを表示する（Ｓ１１，２−１）。キー入力があり（Ｓ１２のＹＥＳ）、“継続”が選択された場合は（Ｓ１３のＹＥＳ）、戻し枚数を算出し（Ｓ１５）、警告画面を解除して原稿戻し枚数を一行メッセージに表示する（Ｓ１６，２−２）。スタートキーが押下されると（Ｓ１７のＹＥＳ）システムは動作中（Ｓ１８，２−３）となり、動作終了により次のジョブをユーザーから受けるための通常画面へ移行する（２−４）。ステップＳ１３において“継続”が選択されなかった（“中止する”が選択された）場合は（Ｓ１３のＮＯ）、警告画面を解除してコピーのジョブをクリアし（Ｓ１４）、次のジョブをユーザーから受けるための通常画面（２−４）へ移行する。
【００１２】
（請求項３）
図７は、本発明による画像形成装置の動作の他の実施例を説明するためのフローチャートである。
図８は、図７に示した実施例に対するＬＣＤ表示の一実施例を示した図である。
請求項２の発明に加えて、読み取り画像を蓄積する画像メモリ１４を具備する構成である。
ＤＦ異常発生の後に、ＤＦ異常発生と、圧板読み取り動作を継続するか否かの問い合わせと、回答用のボタンをＬＣＤに表示する（Ｓ２１，３−１）。キー入力があり（Ｓ２２のＹＥＳ）、ユーザーが圧板による読み取り継続を指示した場合は（Ｓ２３のＹＥＳ）、戻し枚数を算出し（Ｓ２５）、戻し枚数表示の他にメモリへの蓄積が正常に完了した最後の画像の印刷も併せて確認するか否かを選択させる表示を行う（Ｓ２６，３−２）。
【００１３】
ユーザーが“確認する”を選択した場合は（Ｓ２７のＹＥＳ，Ｓ２８のＹＥＳ）、メモリに蓄積した最後の画像を転写紙に出力し（Ｓ２９）、一行警告部に戻し枚数を表示して（Ｓ３０，３−３）、ユーザーのスタートキー押下を待つ（Ｓ３１）。スタートキーが押下されると（Ｓ３１のＹＥＳ）システムは動作中（３−４）となり、動作終了により、次のジョブをユーザーから受けるための通常画面へ移行する（Ｓ３２，３−５）。ステップＳ２３において“継続”が選択されなかった（“中止する”が選択された）場合は（Ｓ２３のＮＯ）、警告画面を解除してコピーのジョブをクリアし（Ｓ２４）、次のジョブをユーザーから受けるための通常画面（３−５）へ移行する。
【００１４】
【発明の効果】
従来では、ＤＦによる読み取り途中でＤＦの異常が発生した場合は、本体異常、あるいは、ジョブの破棄が行なわれ、ユーザーは、本体異常でない場合でも最初のページから圧板で原稿を読み取らせる作業が必要だったが、本発明によれば、圧板を用いることによって読み取り継続を可能とし、作業効率の向上，用紙の節約が可能となり、また、読み取りが正常に完了している最後の画像を印刷して確かめられるので、ユーザーは、戻す原稿を確実に遡ることができる。
【図面の簡単な説明】
【図１】  本発明が適用される画像形成装置の一例を説明するための斜視図である。
【図２】  本発明が適用される画像形成装置のソフト上のシステムの一例を説明するための要部構成図である。
【図３】  本発明による画像形成装置の動作の一実施例を説明するためのフローチャートである。
【図４】  図３に示した実施例に対するＬＣＤ表示の一実施例を示した図である。
【図５】  本発明による画像形成装置の動作の他の実施例を説明するためのフローチャートである。
【図６】  図５に示した実施例に対するＬＣＤ表示の一実施例を示した図である。
【図７】  本発明による画像形成装置の動作の他の実施例を説明するためのフローチャートである。
【図８】  図７に示した実施例に対するＬＣＤ表示の一実施例を示した図である。
【符号の説明】
１…原稿送り装置（ＤＦ）、２…圧板（原稿載置台）、３…操作部、４…ＬＣＤ、５…スタートキー、１１…アプリ層、１２…システム管理部、１３…スキャナ部、１４…画像メモリ、１５…操作部、１６…プロッタ部、１７…ＤＦ。
【図１】
0003868703.tif 000002
【図２】
0003868703.tif 000003
【図３】
0003868703.tif 000004
【図４】
0003868703.tif 000005
【図５】
0003868703.tif 000006
【図６】
0003868703.tif 000007
【図７】
0003868703.tif 000008
【図８】
0003868703.tif 000009